(57)【特許請求の範囲】
【請求項１】
画像情報を読み出すモード、画像情報を書き込むモード、及び画像情報を印刷するモードのうち、少なくともいずれか二つのモードを有する画像形成装置であって、
使用者を識別する識別情報を、前記複数のモードのうちの少なくとも１つのモードと対応付ける対応付手段と、
前記識別情報を取得する取得手段と、
前記複数のモードのうち、少なくともいずれか一つで利用される利用物の有無を検知する検知手段と、
前記対応付手段にて前記識別情報と対応付けられた少なくとも１つのモードの中から、前記取得手段によって取得された識別情報に対応し、かつ前記検知手段によって検知された利用物の有無に対応するモードを選択する選択手段と、
を備えることを特徴とする画像形成装置。
【請求項２】
前記検知手段は、前記取得手段によって取得された識別情報と対応付けられている画像識別情報の有無を検知する画像検知手段を備えることを特徴とする請求項１に記載の画像形成装置。
【請求項３】
前記選択手段は、前記画像情報を印刷するモードが前記識別情報に対応し、かつ前記検知手段が識別画像情報を検知した場合、前記識別画像情報を印刷する第一モードを選択することを特徴とする請求項２に記載の画像形成装置。
【請求項４】
原稿を載置する載置部を備え、
前記検知手段は、前記載置部に載置された原稿の有無を検知する原稿検知手段を備えることを特徴とする請求項１ないし請求項３のいずれかに記載の画像形成装置。
【請求項５】
前記選択手段は、
前記画像情報を読み出すモードが前記識別情報に対応し、かつ前記原稿検知手段が原稿を検知した場合、原稿から画像情報を読み出す第二モードを選択することを特徴とする請求項４に記載の画像形成装置。
【請求項６】
画像情報を記憶する外部記憶装置を装着する装着部を備え、
前記検知手段は、前記装着部に装着される外部記憶装置の有無を検知する外部記憶装置検知手段を備えることを特徴とする請求項１ないし請求項３のいずれかに記載の画像形成装置。
【請求項７】
前記選択手段は、
前記画像情報を読み出すモード及び前記画像情報を印刷するモードが前記識別情報に対応し、かつ前記外部記憶装置検知手段が外部記憶装置を検知した場合、外部記憶装置から読み出した画像情報を印刷する第三モードを選択することを特徴とする請求項６に記載の画像形成装置。
【請求項８】
画像情報を記憶する外部記憶装置を装着する装着部と、
原稿を載置する載置部と、
を備え、
前記検知手段は、
前記載置部に載置される原稿の有無を検知する原稿検知手段と、
前記装着部に装着される外部記憶装置の有無を検知する外部記憶装置検知手段と、
を備えることを特徴とする請求項１ないし請求項３のいずれかに記載の画像形成装置。
【請求項９】
前記選択手段は、
前記画像情報を読み出すモードが前記識別情報に対応し、さらに前記原稿検知手段が原稿を検知し、かつ前記外部記憶装置検知手段が外部記憶装置を非検知である場合、原稿から画像情報を読み出す第二モードを選択することを特徴とする請求項８に記載の画像形成装置。
【請求項１０】
前記選択手段は、
前記画像情報を読み出すモード及び前記画像情報を印刷するモードが前記識別情報に対応し、さらに前記原稿検知手段が原稿を非検知であり、かつ前記外部記憶装置検知手段が外部記憶装置を検知した場合、前記外部記憶装置から読み出した画像情報を印刷する第三モードを選択することを特徴とする請求項８または請求項９に記載の画像形成装置。
【請求項１１】
前記選択手段は、
前記画像情報を読み出すモード及び前記画像情報を書き込むモードが前記識別情報に対応し、さらに前記原稿検知手段が原稿を検知し、かつ前記外部記憶装置検知手段が外部記憶装置を検知した場合、原稿から読み出した画像情報を外部記憶装置に書き込む第四モードを選択することを特徴とする請求項８ないし請求項１０のいずれかに記載の画像形成装置。
【請求項１２】
前記選択手段は、
前記検知手段が前記利用物を非検知である場合、予め設定された第五モードを選択する請求項１ないし請求項１１のいずれかに記載の画像形成装置。
【請求項１３】
前記選択手段によって選択されるモードでの処理に関わる設定情報を記憶する記憶手段と、
前記選択手段が選択したモードでの処理を、前記記憶手段で記憶された設定情報に従って実行する制御手段と、
を備えることを特徴とする請求項１ないし請求項１２のいずれかに記載の画像形成装置。
【請求項１４】
前記選択手段が選択したモードに関する情報を報知する報知手段を備えることを特徴とする請求項１ないし請求項１３のいずれかに記載の画像形成装置。
【請求項１５】
前記取得手段は、当該画像形成装置とは別体に設けられた外部記憶媒体から、前記識別情報を取得することを特徴とする請求項１ないし請求項１４のいずれかに記載の画像形成装置。
【請求項１６】
前記識別情報を設定する設定手段を備え、
前記取得手段は、前記設定手段によって設定された識別情報を取得することを特徴とする請求項１ないし請求項１５のいずれかに記載の画像形成装置。
【発明の詳細な説明】
【技術分野】
【０００１】
本発明は、スキャナ機能、コピー機能等の複数の機能を有する画像形成装置に関する。
【背景技術】
【０００２】
従来より、原稿に記録された画像情報を読み取るスキャナ機能や用紙等の印刷媒体に画像情報を印刷するコピー機能（プリンタ機能）、電話回線により画像情報を通信するファクシミリ機能のような複数の機能を備え、それら機能のうち、少なくとも一つの機能を用いて実現される複数種類のモードを有し、ＲＦＩＤチップから使用者を識別するための情報（即ち、ＩＤ）を取得可能な画像形成装置が知られている（例えば、特許文献１参照）。
【０００３】
そして、この画像形成装置では、モードを選択するために押下されるモード選択キー、ＲＦＩＤチップからＩＤを取得するために押下されるＩＤ取得キー、各モードでの処理を実行するために押下されるスタートキー、を備えると共に、ＩＤと対応付けて、送信先等のＦＡＸ設定や、原稿の読み取り設定、用紙の印刷設定等が記憶されている。
【０００４】
例えば、画像形成装置のファクシミリ機能としてのモード（以下、ファクシミリモードとする）を実行する場合、まず、モード選択キーを操作することにより、複数のモード中からファクシミリモードを選択し、ＩＤ取得キーを操作することにより、ＲＦＩＤチップからＩＤを取得し、記憶されたＦＡＸ設定を呼び出す。そして、スタートキーを操作することにより、ＦＡＸ設定に従ってファクシミリモードでの処理が実行される。
【特許文献１】特開２００５−１０２１１０号公報
【発明の開示】
【発明が解決しようとする課題】
【０００５】
したがって、特許文献１に記載された画像形成装置では、使用者が望むモードを選択し、そのモードの実行に必要な設定を読み出すためには、モードを選択するための操作と、ＩＤを取得するための操作とを、使用者が行わなければならず、使い勝手が悪いという問題があった。
【０００６】
そこで、本発明は、使用者にとって使い勝手の良い画像形成装置の提供を目的とする。
【課題を解決するための手段】
【０００７】
上記目的を達成するためになされた請求項１に記載の画像形成装置では、画像情報を読み出すモード、画像情報を書き込むモード、及び画像情報を印刷するモードのうち、少なくともいずれか二つのモードを有しており、対応付手段が、使用者を識別する識別情報を、前記複数のモードのうちの少なくとも１つのモードと対応付ける。
そして、取得手段が識別情報を取得し、検知手段が、複数のモードのうち、少なくともいずれか一つで利用される利用物の有無を検知し、選択手段が、前記対応付手段にて前記識別情報と対応付けられた少なくとも１つのモードの中から、取得手段によって取得された識別情報に対応し、かつ検知手段によって検知された利用物の有無に対応するモードを選択する。
【０００８】
本発明の画像形成装置によれば、識別情報に対応する複数のモードの中から、利用物の有無に基づいて、次に実行されるモードを予測して選択するため、使用者によるモードの選択等の操作を省略することができる。この結果、使用者にとって使い勝手の良い画像形成装置とすることができる。
【０００９】
なお、利用物の一つとして、識別情報と対応付けた上で、当該画像形成装置に記憶される画像情報である識別画像情報が考えられる。
このため、請求項２に記載の画像形成装置のように、検知手段は、取得手段によって取得された識別情報と対応付けられている画像識別情報の有無を検知する画像検知手段を備えることが望ましい。
【００１０】
本発明の画像形成装置によれば、識別画像情報が当該画像形成装置内に記憶されていることを検知可能であり、その検知結果に応じてモードを選択することができる。
そして、請求項３に記載の画像形成装置では、画像情報を印刷するモードが識別情報に対応し、かつ検知手段が識別画像情報を検知した場合、選択手段が、識別画像情報を印刷する第一モードを選択する。
【００１１】
つまり、本発明の画像形成装置では、識別画像情報が当該画像形成装置内に記憶された状態で、第一モードに対応する識別情報が取得された場合、識別画像情報を印刷する可能性が高いため、第一モードを選択する。これにより、本発明の画像形成装置によれば、モードを選択するための操作を省略可能なため、利便性を向上させることができる。
【００１２】
また、利用物の一つとして、画像情報を記録した原稿が考えられる。
このため、請求項４に記載の画像形成装置のように、原稿を載置する載置部を備えた画像形成装置であって、検知手段では、原稿検知手段が載置部に載置された原稿の有無を検知することが望ましい。
【００１３】
本発明の画像形成装置によれば、画像情報を読み取り可能な原稿が載置されていることを検知できる。
そして、請求項５に記載の画像形成装置では、画像情報を読み出すモードが識別情報に対応し、かつ原稿検知手段が原稿を検知した場合、選択手段が、原稿から画像情報を読み出す第二モードを選択する。
【００１４】
つまり、本発明の画像形成装置では、載置部に原稿が載置された状態で、第二モードに対応する識別情報が取得された場合、原稿から画像情報を読み出す可能性が高いため、第一モードを選択する。これにより、本発明の画像形成装置によれば、モードを選択するための操作を省略可能なため、利便性を向上させることができる。
【００１５】
また、利用物の一つとして、画像情報を読み出し及び書き込み可能な外部記憶装置が考えられる。
このため、請求項６に記載の画像形成装置のように、画像情報を記憶する外部記憶装置を装着する装着部を備えた画像形成装置であって、検知手段では、外部記憶装置検知手段が前記装着部に装着される外部記憶装置の有無を検知することが望ましい。
【００１６】
本発明の画像形成装置によれば、外部記憶装置に対して、画像情報の読み出しや画像情報の書き込み、が可能であることを検知できる。
そして、請求項７に記載の画像形成装置では、画像情報を読み出すモード及び画像情報を印刷するモードが識別情報に対応し、かつ外部記憶装置検知手段が外部記憶装置を検知した場合、選択手段が、外部記憶装置から読み出した画像情報を印刷する第三モードを選択する。
【００１７】
つまり、本発明の画像形成装置では、外部記憶装置が装着された状態で、第三モードに対応する識別情報が取得された場合、外部記憶装置から読み出した画像情報を印刷する可能性が高いため、第三モードを選択する。これにより、本発明の画像形成装置によれば、モードを選択するための操作を省略可能なため、利便性を向上させることができる。
【００１８】
また、利用物として、原稿と外部記憶装置との二つのうち、少なくともいずれか一つを利用することが考えられる。
このため、請求項８に記載の画像形成装置のように、画像情報を記憶する外部記憶装置を装着する装着部と、原稿を載置する載置部と、を備えた画像形成装置であって、検知手段では、原稿検知手段が載置部に載置される原稿の有無を検知し、外部記憶装置検知手段が装着部に装着される外部記憶装置の有無を検知することが望ましい。
【００１９】
本発明の画像形成装置によれば、外部記憶装置に対して、画像情報の読み出しや画像情報の書き込み、または原稿から画像情報の読み出しが可能であることを検知することができる。
【００２０】
そして、請求項９に記載の画像形成装置では、画像情報を読み出すモードが識別情報に対応し、さらに原稿検知手段が原稿を検知し、かつ外部記憶装置検知手段が外部記憶装置を非検知である場合、選択手段が、原稿から画像情報を読み出す第二モードを選択する。
【００２１】
つまり、本発明の画像形成装置では、原稿が載置されており、かつ外部記憶装置が装着されていない状態で、第二モードに対応する識別情報が取得された場合、原稿のみを利用する可能性が高いため、第二モードを選択する。したがって、本発明の画像形成装置によれば、モードを切り替えるための操作を省略可能なため、利便性を向上させることができる。
【００２２】
また、請求項１０に記載の画像形成装置では、画像情報を読み出すモード及び画像情報を印刷するモードが識別情報に対応し、さらに原稿検知手段が原稿を非検知であり、かつ外部記憶装置検知手段が外部記憶装置を検知した場合、選択手段が外部記憶装置から読み出した画像情報を印刷する第三モードを選択する。
【００２３】
つまり、本発明の画像形成装置では、原稿が載置されておらず、外部記憶装置が装着された状態で、第三モードに対応する識別情報が取得された場合、外部記憶装置のみを利用する可能性が高いため、第三モードを選択する。したがって、本発明の画像形成装置によれば、モードを切り替えるための操作を省略可能なため、利便性を向上させることができる。
【００２４】
さらに、請求項１１に記載の画像形成装置では、画像情報を読み出すモード及び画像情報を書き込むモードが識別情報に対応し、さらに原稿検知手段が原稿を検知し、かつ外部記憶装置検知手段が外部記憶装置を検知した場合、選択手段が、原稿から読み出した画像情報を外部記憶装置に書き込む第四モードを選択する。
【００２５】
つまり、本発明の画像形成装置では、原稿が載置されており、かつ外部記憶装置が装着されている状態で、第四モードに対応する識別情報が取得された場合、原稿及び外部記憶装置の両方を利用する可能性が高いため、第四モードを選択する。したがって、本発明の画像形成装置によれば、モードを切り替えるための操作を省略可能なため、利便性を向上させることができる。
【００２６】
そして、請求項１２に記載の画像形成装置では、検知手段が利用物を非検知である場合、選択手段が予め設定された第五モードを選択する。
通常、当該画像形成装置内に画像情報が記憶されておらず、さらに原稿が載置されておらず、かつ外部記憶装置が装着されていない場合、次に実行されるモードを予測することが困難である。そこで、本発明の画像形成装置によれば、予め設定された第五モードを選択することにより、次の動作への移行をスムーズにすることができる。
【００２７】
また、請求項１３に記載の画像形成装置は、記憶手段が選択手段によって選択されるモードでの処理に関わる設定情報を記憶し、制御手段が、選択手段が選択したモードでの処理を、記憶手段で記憶された設定情報に従って実行するように構成されていることが望ましい。
【００２８】
本発明の画像形成装置によれば、識別情報と対応付けて記憶された設定情報に従って、モードを実行するため、使用者が設定情報を入力する必要が無く、利便性を向上させることができる。
【００２９】
なお、設定情報とは、それぞれのモードでの処理を実行するために必要となる各種設定の他に、それぞれのモードでの処理に続いて実行される処理（以下、この処理をマクロ処理とする）を含むものである。ただし、マクロ処理は、マクロ処理を実行するために必要な設定を含むものである。
【００３０】
例えば、第二モードにおける設定情報の各種設定は、原稿から画像情報を読み取るために必要な設定である。そして、第二モードにおける設定情報としてのマクロ処理は、原稿から読み取った画像情報を印刷するための処理や、原稿から読み取った画像情報を、他の画像形成装置または外部機器に送信するための処理等である。つまり、識別情報と対応付けて、第二モードにおける設定情報の各種設定やマクロ処理を記憶することにより、使用者が望む処理を実行することができる。
【００３１】
さらに、請求項１４に記載の画像形成装置のように、選択手段が選択したモードに関する情報を報知する報知手段を備えていても良い。
本発明の画像形成装置によれば、モードに関する情報を報知するため、選択手段で選択されたモードが、いずれのモードであるかを、当該画像形成装置の使用者に認識させることができる。
【００３２】
また、請求項１５に記載の画像形成装置では、当該画像形成装置とは別体に設けられた外部記憶媒体から、取得手段が識別情報を取得する。
このような、本発明の画像形成装置によれば、外部記憶媒体から識別情報を取得するため、使用者が識別情報を入力する手間を省くことができる。
【００３３】
さらに、請求項１６に記載の画像形成装置では、設定手段が識別情報を設定し、取得手段は、設定手段によって設定された識別情報を取得する。
本発明の画像形成装置によれば、使用者が識別情報を記憶した外部記憶媒体を所持していない場合であっても、識別情報を取得することができる。
【発明を実施するための最良の形態】
【００３４】
以下、本発明の実施形態について図面と共に説明する。
〈装置全体の構成〉
図１は、本発明を適用した画像形成装置の外観を示す斜視図であり、図２は、画像形成装置に設けられた本体カバーを開いた状態の斜視図である。
【００３５】
まず、画像形成装置１は、少なくとも、イメージスキャナ、プリンタ、コピー、ファクシミリとしての機能を備えたものである。
画像形成装置１は、印刷される用紙１８（図３参照）を給紙する用紙トレー１７と、用紙トレー１７から供給された用紙１８に、原稿１９（本発明の原稿に相当、図２参照）の情報を読み取る等して得られた画像を印刷する本体１０と、本体１０の上面を完全に覆うように、本体１０に開閉可能に支持された本体カバー１２と、を備えている。
【００３６】
本体１０は、原稿１９に記載された情報を読み取る（以下、原稿１９を読み取るとする）原稿読取部４０（図４参照）と、原稿読取部４０で読み取った情報から画像を形成し、用紙１８に印刷する画像形成部２（図３参照）と、画像形成装置１を使用する際に必要な情報を使用者が入力する操作部１４（本発明の設定手段の一例）と、を備えている。そして、原稿読取部４０、画像形成部２は、本体ケース１１内に収納されている。
【００３７】
また、本体ケース１１は、原稿読取部４０に情報を読み取られる原稿１９を配置する読取面１１ａと、用紙トレー１７を介さずに画像形成部２に用紙１８を供給するための手差給紙部８と、画像形成部２で印刷された用紙１８が排出される用紙排出部７と、を有している。
【００３８】
そして、読取面１１ａは、ガラス等の光を透過する素材によって形成された板材であり、本体カバー１２と相対する本体ケース１１の上面に固定されている。
また、操作部１４は、複数の機能のうち使用者が望む機能を選択するための選択キー１４ａと、使用者が選択した機能を実行するためのスタートキー１４ｂと、画像形成装置１の状態等を表示するための表示部１５（本発明の報知手段の一例）と、を備えている。
【００３９】
選択キー１４ａは、画像形成装置１に備えられた機能の中から、使用者が使用したい機能を選択するためのものであり、具体的には、コピー機能を選択するためのコピーキーやファクシミリ機能を選択するためのファクシミリキー、スキャナ機能を選択するためのスキャナキー等が設けられている。
【００４０】
また、表示部１５は、押下されることにより印刷等に必要な設定（即ち、情報）を入力可能に構成された液晶パネル（いわゆる、タッチパネル）である。
〈画像形成部の構成について〉
次に、画像形成装置１の本体１０内の概略構成を図３に示す断面図を用いて、画像形成部２について説明する。
【００４１】
画像形成部２は、レーザー光を照射し画像を形成するスキャナユニット６０、スキャナユニット６０で形成された画像を用紙１８に転写するプロセスカートリッジ６、用紙１８に転写された画像を定着させる定着ユニット７０、を備えている。
【００４２】
このうち、スキャナユニット６０は、後述する感光ドラム８０上に静電潜像を形成するためのレーザ光を発光するレーザーダイオード（図示せず）と、レーザーダイオードが発光するレーザー光を反射するように回転駆動されるポリゴンミラー６１と、レーザー光を集光するレンズ６２、６３及び反射ミラー６４、６５、６６等の光学器と、を備えている。つまり、スキャナユニット６０では、レーザーダイオードが発光するレーザー光がポリゴンミラー６１により偏向され、光学器により集光、かつ光路の変更後、感光ドラム８０の表面に高速走査にて照射される。
【００４３】
また、プロセスカートリッジ６は、画像形成プロセス（帯電、現像、転写）を行うための構成を備えたカートリッジであり、ドラムカートリッジ４と、ドラムカートリッジ４に着脱自在に装着され、トナー（図示せず）を収納する現像カートリッジ５０と、から構成されている。
【００４４】
そして、ドラムカートリッジ４は、レーザー光の被照射体であり、用紙１８に転写されるトナー画像が形成される感光ドラム８０と、感光ドラム８０を帯電させる帯電器８２と、感光ドラム８０上のトナー画像を用紙１８に転写する転写ローラー８１と、を備えている。つまり、感光ドラム８０上のトナー画像は、感光ドラム８０と転写ローラー８１との間を通過する用紙１８に転写される。
【００４５】
また、定着ユニット７０は、加熱用ローラ７１と、押圧ローラ７２とを備え、感光ドラム８０と転写ローラー８１との圧接部において転写されたトナー画像が、加熱用ローラ７１と押圧ローラ７２との間を搬送される時に、加熱かつ押圧されることにより、用紙１８に定着されるように構成されている。
【００４６】
つまり、画像形成部２では、スキャナユニット６０から照射されたレーザー光により形成された画像を、用紙トレー１７から供給された用紙１８に、プロセスカートリッジ６を通過する時に転写し、定着ユニット７０を通過する時に定着させる。
【００４７】
〈本体カバー及び原稿読取部の構成〉
次に、図４は、本体カバー１２及び原稿読取部４０の構成を示した概略断面図である。
本体カバー１２は、原稿読取部４０に読み取られる前の原稿１９を載置する載置部２１と、原稿読取部４０に読み取られた後の原稿１９を集積する集積部３１と、載置部２１から読取面１１ａを経由して（即ち、原稿自動搬送読取位置３で保持された原稿読取部４０に原稿１９を読み取らせた後）集積部３１へと原稿１９を搬送する搬送部２５と、を備えている。以下、載置部２１、集積部３１、搬送部２５を総称して原稿自動搬送装置５とする。
【００４８】
また、図４に示すように、原稿読取部４０は、原稿１９に対して光を照射する光源４３と、原稿１９によって反射された反射光を集光するミラー及びレンズ等の光学素子群４２と、原稿１９から情報を読み取るためのイメージセンサー４１と、を備えている。つまり、原稿読取部４０は、光源４３から光が照射され、原稿１９によって反射された反射光を光学素子群４２によって集光し、集光された反射光をイメージセンサー４１によって認識することにより原稿１９を読み取るように構成されている。
【００４９】
さらに、原稿読取部４０は、原稿自動搬送読取位置３と対面する位置において、原稿１９の読み取りが可能であり、かつ図示しない原稿読取部駆動機構により、読取面１１ａに沿った本体ケース１１の長手方向（図４の左右方向）への移動が可能に構成されている。
【００５０】
つまり、原稿自動搬送装置５を用いて原稿１９の読み取りを行う際には、原稿読取部４０を、原稿自動搬送読取位置３に対面する位置に保持し、原稿自動搬送装置５によって原稿自動搬送読取位置３を通過するように搬送される原稿１９から、その原稿１９の全情報を読み取る。
【００５１】
また、読取面１１ａを覆うように配置された原稿１９の読み取りを行う（いわゆる、フラットベット型として使用する）際には、原稿読取部４０は、原稿読取部駆動機構によって移動されながら、読取面１１ａに配置された原稿１９の全情報を読み取る。
【００５２】
〈原稿検知センサーの構成〉
次に、原稿読取部４０に読み取られる原稿１９が配置されていることを検知する原稿検知センサーについて図４を用いて説明する。
【００５３】
原稿検知センサー（本発明の原稿検知手段の一例、図５参照）９２は、載置部２１に原稿１９が載置されていることを検知する載置部検知センサー２４と、読取面１１ａに原稿１９が配置されていることを検知する読取面検知センサー３５と、からなる。
【００５４】
載置部検知センサー２４及び読取面検知センサー３５は、それぞれ、発光部２４ａと受光部２４ｂ、発光部３５ａと受光部３５ｂからなる光センサーである。そして、発光部２４ａと受光部２４ｂ、発光部３５ａと受光部３５ｂは、それぞれ、載置部２１または読取面１１ａに配置された原稿１９によって、発光部２４ａ、３５ａから受光部２４ｂ、３５ｂに向かう光が遮られるように対向配置されている。
【００５５】
ただし、読取面検知センサー３５は、本体ケース１１内の原稿読取部４０が移動する移動経路から外れた位置に受光部３５ｂが配置され、本体カバー１２内に発光部３５ａが配置されている。つまり、読取面検知センサー３５は、本体カバー１２が閉じられた際に、発光部３５ａから照射された光を受光部３５ｂが受光するように構成されている。
【００５６】
このため、原稿検知センサー９２では、その設置位置に原稿１９が存在していない時には、発光部２４ａ、３５ａから照射された光が受光部２４ｂ、３５ｂで検知されるため、受光部２４ｂ、３５ｂからは、信号レベルの大きな受光信号が得られる。また、原稿検知センサー９２の設置位置に原稿１９が存在している時には、原稿１９に遮られ、発光部２４ａ、３５ａから照射された光が受光部２４ｂ、３５ｂで検知されないため、受光部２４ｂ、３５ｂからは、信号レベルの小さな受光信号が得られる。
【００５７】
つまり、原稿検知センサー９２は、受光部２４ｂ、３５ｂから出力される受光信号の信号レベルの違いに基づき、後述するＣＰＵ（図５参照）１０３が原稿１９の有無を認識するように構成されている。
【００５８】
〈電気的構成に関する説明〉
次に、図５は、画像形成装置１の電気的構成を示すブロック図である。
画像形成装置１には、パーソナルコンピュータ等の外部機器（図示せず）に接続するためのネットワークインターフェース（ネットワークＩ／Ｆ）１０８と、電話回線に接続するためのファクシミリインターフェース（ファクシミリＩ／Ｆ）１０４と、画像データを読み書き可能な外部メモリ１０５（本発明の外部記憶装置の一例）が着脱される接続部１０６（本発明の装着部の一例）と、ＩＣカードから使用者ごとに割り当てられたＩＤを読み取るＩＣカード読取部１１０（本発明の取得手段の一例）と、画像形成装置１の様々な駆動を制御するための処理プログラムを記憶するＲＯＭ１０１と、画像を印刷するための印刷データや処理結果等を一時的に記憶するＲＡＭ１０２と、電源がオフになっても保存しておく必要のあるデータを記憶するＮＶＲＡＭ（不揮発性メモリ）１０７と、ＲＯＭ１０１に記憶された処理プログラムを実行するＣＰＵ１０３と、が備えられている。
【００５９】
さらに、ＣＰＵ１０３には、原稿読取部４０、画像形成部２、表示部１５に画像を表示させる表示駆動部９１、操作部１４が操作されたことを検知する操作検知部９０、原稿検知センサー９２、が接続されている。
【００６０】
接続部１０６は、外部メモリ１０５が装着されると、外部メモリ１０５に対し通電するように構成されていると共に、外部メモリ１０５が装着されたことを検知する接続検知部９３（本発明の外部記憶装置検知手段の一例）を備えている。なお、外部メモリ１０５に記憶される画像データとしては、ＪＰＥＧ、ＴＩＦＦ等の汎用的な画像フォーマットを持つものや、一般的なワープロソフトにより作成されたものやＰＤＦ形式等の文書データ、プリントドライバが出力した印刷データをファイル化したもの、などがある。
【００６１】
また、ＩＣカード読取部１１０は、ＩＣカード読取部１１０の近傍に存在する非接触型ＩＣカードから、そのＩＣカードに記憶されたＩＤ等の情報を取得する周知のものである。
【００６２】
なお、画像形成装置１は、使用者が操作部１４を操作することにより、使用者を識別するための識別情報（即ち、ＩＤ）を、予めＩＣカードに記憶された情報と対応付けて設定するように構成されている。
〈モードについて〉
次に、複合機１が有するモードについて説明する。
【００６３】
複合機１は、少なくとも、イメージスキャナ、プリンタ、コピー、ファクシミリとしての動作モードを備えており、それらの動作モードのうち、少なくとも一つの動作モードを含んだ一連の処理を実行するためのモードが、予め複数種類用意されている。
【００６４】
このモードとして、原稿１９から読み取った画像を画像データとして記憶するスキャナモード、画像形成部２を駆動させることにより、原稿１９から読み取った画像を用紙１８に印刷するコピーモード、原稿１９から読み取った画像を電話回線を介して送信するＦＡＸモード、複合機１のＲＡＭ１０２に格納された画像データに基づく画像を用紙１８に印刷するプリントモードが用意されている。
【００６５】
また、他のモードとして、原稿１９から読み取った画像を画像データとして、接続部１０６に接続された外部メモリ１０５に記憶するスキャントゥメモリモード（本発明の第四モードの一例）、接続部１０６に接続された外部メモリ１０５から画像データを読み込み、画像データに基づく画像を用紙１８に印刷するダイレクトプリントモード（本発明の第三モードの一例）、が用意されている。
【００６６】
さらに、他のモードとして、パーソナルコンピュータ等の外部機器から送信され、ＩＤが付加された印刷データをＲＡＭ１０２に記憶し、ＩＣカード読取部１１０で読み取られたＩＤと、上記印刷データに付加されたＩＤとが一致する場合、その印刷データに基づく画像を用紙１８に印刷するセキュアプリントモード（本発明の第一モードの一例）、上記複数種類のモードの中から一つが選択され、画像形成装置１が起動された際に移行するモードであるユーザー規定モード（本発明の第五モードの一例、本実施形態ではコピーモードとする）、少なくとも原稿１９から読み取った画像を画像データとして記憶する処理を含むモード（即ち、スキャナモードを含むモード）である設定モード（本発明の第二モードの一例）、が用意されている。
【００６７】
ただし、ユーザー規定モードは、画像形成装置１の使用者等が操作部１４を操作することにより、画像形成装置１に用意された複数のモードの中から選択され、予め設定されているものである。
【００６８】
そして、これらのモードには、そのモードが選択された時に表示部１５に表示され、それぞれのモードに対応する処理を実行するために必要な設定（以下、マクロ設定とする）を入力する設定画面が用意されている。
【００６９】
さらに、マクロ設定は、後述するモード選択実行処理において、その設定をＩＤと対応付けて、ＮＶＲＡＭ１０７に記憶するようにされている。
具体的には、スキャナモードでは、記憶する画像データの形式や解像度等、コピーモードでは、印刷する用紙の種類や枚数等、ＦＡＸモードでは、送信先等、プリントモードでは、用紙１８の種類や印刷枚数等、スキャントゥメモリモードでは、記憶する画像データの形式や保存先のフォルダ等、ダイレクトプリントモードでは、外部メモリに記憶された画像データの中から読み込む画像データの指定や、印刷する枚数等、セキュアプリントモードでは、印刷枚数等、をマクロ設定として記憶する。
【００７０】
なお、設定モードでは、マクロ設定の一つとして、原稿１９から読み取った画像を画像データとして記憶する処理の後に、その画像データを利用した処理を実行するためのモードであるマクロモードが設定可能なように用意されている。
【００７１】
そのマクロモードとして、画像データをＰＤＦ等の文書データとして保存し、その文書データをネットワーク回線を介して送信するスキャントゥＰＤＦモード（設定モードからマクロモードまでを含めたモード名）や、画像データを電話回線を通じて送信する送信モード（即ち、ＦＡＸモード）、画像データに基づく画像を用紙１８に印刷する印刷モード（即ち、コピーモード）などを設定可能である。
【００７２】
なお、本実施形態における設定モード（マクロモードまで含む）を、スキャントゥＰＤＦモードとする。
また、スキャントゥＰＤＦモードにおけるマクロ設定では、マクロモードの実行に必要な送信先のアドレス等の設定情報を記憶するように用意されている。
【００７３】
つまり、画像形成装置１では、予め用意されているモードは、それぞれのモードに対応したマクロ設定を記憶させることにより、ＩＤと対応付けられたモードとなる。
そして、ＣＰＵ１０３は、ＲＡＭ１０２に記憶された印刷データの有無や、原稿検知センサー９２や接続検知部９３等から得られる情報に基づき、予め用意された複数種類のモードの中から一つのモードを選択し、マクロ設定に従ってモードでの処理を実行するモード選択実行処理を実行する。
【００７４】
ただし、選択キー１４ａが押下されることにより選択されたモードは、前もってモード選択実行処理で選択されたモードよりも優先されるように設定されている。
さらに、スタートキー１４ｂが押下された場合、モード選択実行処理よりも優先して、その時点におけるモードでの処理を実行する。
【００７５】
ただし、画像形成装置１には、モード選択実行処理により一つのモードを選択し、各モードでの処理を実行する場合、及び選択キー１４ａやスタートキー１４ｂが押下される場合、マクロ設定がされていない（即ち、選択しようとされたモードがＩＤと対応付けられていない）等の理由により、選択し実行することが禁止されている（許可されていない）モードがある時には、その内容に応じた警告を表示部１５に表示するように警告画面が用意されている。
〈モード選択実行処理について〉
次に、ＣＰＵ１０３が実行するモード選択実行処理について、図６に示すフローチャートを用いて説明する。
【００７６】
モード選択実行処理が実行されると、図６に示すように、まず、Ｓ２１０では、使用者のＩＤを取得できたか否かを判定し、判定の結果、ＩＤを取得できたものと判断された場合、Ｓ２２０へと進む。
【００７７】
そのＳ２２０では、印刷データがＲＡＭ１０２に記憶されているか否かを判定する（本発明の検知手段の一例）。具体的には、ＲＡＭ１０２に記憶された全てのデータに対して、データの属性を表す識別子（即ち、拡張子）やデータの中身を解析することにより、少なくとも一つの印刷可能な印刷データが記憶されているか否かを判定する。
【００７８】
そして、Ｓ２２０での判定の結果、印刷データが記憶されているものと判断された場合、Ｓ２３０へと進む。
そのＳ２３０では、Ｓ２１０で取得されたＩＤと一致するＩＤの付加された印刷データ（いわゆる、セキュアデータ）が、ＲＡＭ１０２に記憶されているか否かを判定する（本発明の画像検知手段の一例）。そして、判定の結果、Ｓ２１０で取得されたＩＤと一致するＩＤの付加された印刷データが、記憶されているものと判断された場合、Ｓ２４０へと進む。
【００７９】
そのＳ２４０では、複数のモードの中からセキュアプリントモードを選択し、セキュアプリントモードに対応した設定画面を表示部１５に表示した上で、マクロ設定に従ってセキュアプリントモードでの処理を実行する（本発明の選択手段、制御手段の一例）。そして、その後Ｓ２１０へと戻る。
【００８０】
また、Ｓ２３０における判定の結果、Ｓ２１０で取得されたＩＤと一致するＩＤの付加された印刷データが記憶されていないものと判断された場合も、Ｓ２１０へと戻る。つまり、ＩＤの付加された印刷データがＲＡＭ１０２に記憶されていない場合や、Ｓ２１０で取得されたＩＤと異なるＩＤの付加された印刷データしかＲＡＭ１０２に記憶されていない場合には、Ｓ２１０へと戻る。
【００８１】
なお、Ｓ２２０における判定の結果、印刷データが記憶されていないものと判断された場合、Ｓ２５０へと進む。
そのＳ２５０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ２６０へと進む。
【００８２】
そして、Ｓ２６０では、接続検知部９３の検知結果を取得し、接続部１０６に外部メモリ１０５が接続されているか否かを判定する。そして、判定の結果、外部メモリ１０５が接続されているものと判断した場合、Ｓ２７０へと進む。
【００８３】
そのＳ２７０では、複数のモードの中からスキャントゥメモリモードを選択し、スキャントゥメモリモードに対応した設定画面を表示部１５に表示した上で、マクロ設定に従ってスキャントゥメモリモードでの処理を実行する。
【００８４】
ただし、Ｓ２１０で取得されたＩＤに対応したマクロ設定がなされていない場合、その旨の警告情報を表示部１５に表示する（なお、本実施形態では、本処理で選択される各モードに対しマクロ設定がなされていない場合には、警告情報を表示部に表示する）。そして、その後Ｓ２１０へと戻る。
【００８５】
また、Ｓ２６０における判定の結果、外部メモリ１０５が接続されていないものと判断した場合、Ｓ２８０へと進む。
そして、Ｓ２８０では、複数のモードの中から設定モードを選択し、設定モードに対応した設定画面を表示部１５に表示した上で、マクロ設定に従って設定モードでの処理を実行する。ただし、本実施形態では、マクロモードとしてスキャントゥＰＤＦモードが設定されているため、スキャントゥＰＤＦモードでの処理が実行される。そして、その後Ｓ２１０へと戻る。
【００８６】
なお、Ｓ２５０における判定の結果、載置部２１または読取面１１ａのいずれにも原稿１９が配置されていないものと判断した場合、Ｓ２９０へと進む。
そして、Ｓ２９０では、接続検知部９３の検知結果を取得し、接続部１０６に外部メモリ１０５が接続されているか否かを判定する。そして、判定の結果、外部メモリ１０５が接続されているものと判断した場合、Ｓ３００へと進む。
【００８７】
そのＳ３００では、複数のモードの中からダイレクトプリントモードを選択し、ダイレクトプリントモードに対応した設定画面を表示部１５に表示した上で、マクロ設定に従ってダイレクトプリントモードでの処理を実行する。そして、その後Ｓ２１０へと戻る。
【００８８】
また、Ｓ２９０における判定の結果、外部メモリ１０５が接続されていないものと判断した場合、Ｓ３１０へと進む。
そのＳ３１０では、複数のモードの中からユーザー規定モードを選択し、ユーザー規定モードに対応した設定画面を表示部１５に表示する。そして、その後Ｓ２１０へと戻る。
【００８９】
さらに、Ｓ２１０における判定の結果、ＩＤを取得できていないものと判断された場合、Ｓ３２０へと進む。つまり、ＩＣカード自体をＩＣカード読取部１１０で認識できない場合や、ＩＣカードから取得した情報が画像形成装置１に記憶された識別情報と対応しない場合、Ｓ３２０へと進む。
【００９０】
そのＳ３２０では、マクロ設定を記憶させるか否かを判定する。具体的には、マクロ設定を記憶させる処理を実行するためのボタンを表示部１５に表示し、そのボタンが押下されたか否かを判定する。つまり、ボタンが押下された場合、マクロ設定を記憶させるものと判断する。
【００９１】
そして、Ｓ３２０での判定の結果、マクロ設定を記憶させるものと判断された場合、Ｓ３３０へと進む。
そのＳ３３０では、画像形成装置１の使用状態に基づいて、使用者がマクロ設定を記憶させたいモードを予測して選択する。つまり、本モード選択実行処理のＳ２２０からＳ３１０までの判断と同様に、印刷データがＲＡＭ１０２に記憶されているか否か、原稿１９が載置されているか否か、外部メモリ１０５が装着されているか否か、を判定し、判定結果から予測されたモードに対するマクロ設定を記憶させるための処理を実行する。
【００９２】
続くＳ３４０では、Ｓ３３０で選択されたモードに対応する設定画面を表示部１５に表示する。そして、設定画面を使用者に操作させることにより、そのモードに対するマクロ設定を入力させ、そのマクロ設定を一時的に記憶し、Ｓ３５０へと進む。
【００９３】
そのＳ３５０では、ＩＣカード読取部１１０にＩＣカードの読み取りを実行させ、読み取ったＩＤを、Ｓ３４０で設定されたマクロ設定と対応付けてＮＶＲＡＭ１０７に記憶する（本発明の記憶手段の一例）。そして、その後Ｓ２１０へと戻る。
【００９４】
なお、Ｓ３２０における判定の結果、マクロ設定をしないものと判断された場合、Ｓ２１０へと戻る。具体的には、予め規定された時間が経過しても、マクロ設定をするためのボタンが押下されない場合や、ＩＣカードから取得した情報が識別情報と対応しない場合には、マクロ設定をしないものと判断し、Ｓ２１０へと戻る。
【００９５】
以上のように、印刷データがＲＡＭ１０２に記憶されており、その印刷データに付加されたＩＤがＩＣカード読取部１１０で読み取られたＩＤと一致する場合、ＩＤが付加された印刷データを印刷する可能性が高いため、ＣＰＵ１０３は、モード選択実行処理を実行することにより、セキュアプリントモードを自動で選択し、取得したＩＤと対応するマクロ設定に従ってセキュアプリントモードを実行する。
【００９６】
また、印刷データがＲＡＭ１０２に記憶されておらず、原稿１９が載置され、かつ外部メモリ１０５が装着されていない場合、原稿１９のみを用いる可能性が高いため、ＣＰＵ１０３は、モード選択実行処理を実行することにより、設定モードを選択し、取得したＩＤと対応するマクロ設定に従って設定モードを実行する。
【００９７】
さらに、印刷データがＲＡＭ１０２に記憶されておらず、原稿１９が載置され、かつ外部メモリ１０５が装着されている場合、原稿１９と外部メモリ１０５との両方を用いる可能性が高いため、ＣＰＵ１０３は、モード選択実行処理を実行することにより、スキャントゥメモリモードを選択し、取得したＩＤと対応するマクロ設定に従ってスキャントゥメモリモードを実行する。
【００９８】
また、印刷データがＲＡＭ１０２に記憶されておらず、原稿１９も載置されておらず、かつ外部メモリ１０５が装着されている場合、外部メモリ１０５のみを用いる可能性が高いため、ＣＰＵ１０３は、モード選択実行処理を実行することにより、ダイレクトプリントモードを選択し、取得したＩＤと対応するマクロ設定に従ってダイレクトプリントモードを実行する。
【００９９】
なお、印刷データがＲＡＭ１０２に記憶されておらず、原稿１９も載置されておらず、かつ外部メモリ１０５も装着されていない場合、ＣＰＵ１０３は、モード選択実行処理を実行することにより、ユーザー規定モードを選択する。
〈本実施形態の効果〉
以上説明したように、本実施形態の画像形成装置１では、ＲＡＭ１０２に記憶された印刷データの有無や、原稿１９及び外部メモリ１０５の有無等の画像形成装置１の使用状態に基づいて、使用者の望むモードを予測して選択し、取得したＩＤと対応するマクロ設定に従って、選択されたモードを実行するようにされている。したがって、画像形成装置１によれば、モードを切り替えるための操作や、モードでの処理を実行するためにマクロ設定を入力する操作を、省略可能なため、画像形成装置１の使い勝手を向上させることができる。
【０１００】
特に、本実施形態の画像形成装置１によれば、ＩＤと対応付けてマクロ設定を記憶することが可能なため、使用者の望む設定によりモードでの処理を実行することができる。
［その他の実施形態］
以上、本発明の実施形態について説明したが、本発明は上記実施形態に限定されるものではなく、本発明の要旨を逸脱しない範囲において様々な態様にて実施することが可能である。
【０１０１】
例えば、本実施形態の画像形成装置１では、ＩＣカードに記憶されたＩＤを読み取ることによりＩＤを取得したが、使用者に操作部１４を操作させることで、ＩＤを取得するものでも良い。
【０１０２】
また、本実施形態のモード選択実行処理では、印刷データがＲＡＭ１０２に記憶されており、その印刷データに付加されたＩＤがＩＣカード読取部１１０で読み取られたＩＤと一致する場合、セキュアプリントモードを選択したが、このような画像形成装置１の使用状態で実行されるモードは、これに限るものではない。
【０１０３】
例えば、モードをプリントモードとして設定したうえで、印刷される時の用紙サイズのデータを印刷データに含有させ、その用紙サイズの用紙１８が画像形成部２に供給された場合（即ち、用紙トレー１７や、手差給紙部８に、そのサイズの用紙が存在する場合）にのみ、印刷を実行するようにしても良い。
【０１０４】
また、画像形成装置１の設定モードは、スキャントゥＰＤＦモードを設定したが、これに限るものではない。つまり、コピーモードや、ＦＡＸモード等を予め設定しても良い。
さらに、モード選択実行処理のＳ２８０において、使用者に選択モードを選択させるようにしても良い。例えば、スキャントゥＰＤＦモード、コピーモード、ＦＡＸモード等の選択ボタンを表示部１４に表示し、その選択ボタンの中から押下されたモードを選択し、ＩＤに対応したマクロ設定に従って、選択された設定モードを実行するようにしても良い。
【０１０５】
また、画像形成装置１におけるユーザー規定モードは、操作部１４を操作することにより、複数種類のモードの中から一つのモードを選択して設定していたが、これに限るものではない。つまり、画像形成装置１において使用されるモードをカウントし、使用される回数の多いモードを、ユーザー規定モードとして設定するようにしても良い。さらに、画像形成装置１におけるユーザー規定モードは、画像形成装置１の使用者によって設定されるものに限らず、画像形成装置１の製造工程において設定されても良い。
【０１０６】
また、本実施形態におけるモード選択実行処理では、各モードを実行する際（Ｓ２４０、２７０、２８０、３００等）、そのモードに対応する設定画面を表示部１５に表示したが、これに加えて、画像形成装置１にスピーカーを設け、操作内容を音声にて報知するようにしても良い。
【０１０７】
さらに、本実施形態におけるモード選択実行処理では、画像形成装置１の使用状態として、印刷データの有無を検知した後、原稿１９及び外部メモリ１０５の有無を検知したが、これに限るものではない。つまり、画像形成装置１の使用状態を予測するためのものとして、印刷データ、原稿１９及び外部メモリ１０５の有無を検知すれば、どのような順番で検知しても良い。
【０１０８】
また、本実施形態におけるモード選択実行処理では、画像形成装置１の使用状態に基づいて、マクロ設定されるモードを選択したが、モードの選択方法はこれに限るものではない。例えば、モード選択実行処理のＳ３３０において、マクロ設定されるモードを選択するために複数のボタンを表示部１５に表示し、複数のボタンの中から一つのボタンを押下することによって、マクロ設定されるモードを選択しても良い。
【０１０９】
なお、外部メモリ１０５は、画像データを記憶できるものであれば、どのようなものでも良い。つまり、一般的なハードディスクやＵＳＢにより接続可能な記録媒体、スマートメディアやコンパクトフラッシュ（登録商標）等を用いることができる。
【図面の簡単な説明】
【０１１０】
【図１】画像形成装置の外観構成を示す斜視図である。
【図２】本体カバーを開いた状態における画像形成装置の斜視図である。
【図３】画像形成装置の本体内の概略構成を示す断面図である。
【図４】画像形成装置の本体カバー及び原稿読取部の概略構成を示す断面図である。
【図５】画像形成装置の制御系を示すブロック図である。
【図６】モードの選択及び選択されたモードを実行するためのモード選択実行処理を示すフローチャートである。
【符号の説明】
【０１１１】
１…複合機  ２…画像形成部  ３…原稿自動搬送読取位置  ４…ドラムカートリッジ  ５…原稿自動搬送装置  ６…プロセスカートリッジ  ７…用紙排出部  ８…手差給紙部  １０…本体  １１…本体ケース  １１ａ…読取面  １２…本体カバー  １４…操作部  １５…表示部  １７…用紙トレー  １８…用紙  １９…原稿  ２１…載置部  ２４…載置部検知センサー  ２５…搬送部  ３１…集積部  ３５…読取面検知センサー  ２４ａ、３５ａ…発光部  ２４ｂ、３５ｂ…受光部  ４０…原稿読取部  ４１…イメージセンサー  ４２…光学素子群  ４３…光源  ５０…現像カートリッジ  ６０…スキャナユニット  ６１…ポリゴンミラー  ６２…レンズ  ６４…反射ミラー  ７０…定着ユニット  ７１…加熱用ローラ  ７２…押圧ローラ  ８０…感光ドラム  ８１…転写ローラー  ８２…帯電器  ９０…操作検知部  ９１…表示駆動部  ９２…原稿検知センサー  ９３…接続検知部  １０１…ＲＯＭ  １０２…ＲＡＭ  １０３…ＣＰＵ  １０７…ＮＶＲＡＭ  １０５…外部メモリ  １０６…接続部  １１０…ＩＣカード読取部
【図１】
0004779764.tif 000002
【図２】
0004779764.tif 000003
【図３】
0004779764.tif 000004
【図４】
0004779764.tif 000005
【図５】
0004779764.tif 000006
【図６】
0004779764.tif 000007